(57)【要約】【課題】低コストに効果的にクロストークを低減でき、特にケーブルとコネクタからなる配線システム全体のクロストークを低コストに効果的に低減でき、その端部に例えばＲＪ４５のモジュラプラグを取り付けることができる、シールド付きツイストペアケーブルを提供する。【解決手段】４つのツイストペア線２ａ，２ｂ，２ｃ，２ｄを束ね、その外周にシールド層４とシース５を設けて構成されると共に、１番〜８番の端子を有し、かつ、１番と２番、３番と６番、４番と５番、７番と８番の端子が対となるコネクタに接続されるツイストペアケーブルにおいて、コネクタの３番と６番の端子に接続されるツイストペア線２ｄのみに、その外周に個別シールド層１０を設けたものである。【選択図】図１
2010232092.tif 000002
【特許請求の範囲】
【請求項１】
４つのツイストペア線を束ね、その外周にシールド層とシースを設けて構成されると共に、１番〜８番の端子を有し、かつ、１番と２番、３番と６番、４番と５番、７番と８番の端子が対となるコネクタに接続されるツイストペアケーブルにおいて、
前記コネクタの３番と６番の端子に接続されるツイストペア線のみに、その外周に個別シールド層を設けたことを特徴とするシールド付きツイストペアケーブル。
【請求項２】
前記各ツイストペア線の間に、各ツイストペア線間を遮蔽するための十字介在物を配置した請求項１記載のシールド付きツイストペアケーブル。
【請求項３】
前記各ツイストペア線を束ねた中心部に抗張力体を配置する請求項１記載のシールド付きツイストペアケーブル。
【請求項４】
前記コネクタの３番と６番の端子に接続されるツイストペア線を構成する心線が発泡コアからなる請求項１〜３いずれかに記載のシールド付きツイストペアケーブル。
【請求項５】
前記個別シールド層の内周に個別シース層を設け、該個別シース層の厚さを調整することにより、前記コネクタの３番と６番の端子に接続されるツイストペア線の特性インピーダンスを調整する請求項１〜３いずれかに記載のシールド付きツイストペアケーブル。
【請求項６】
前記コネクタの１番と２番、４番と５番、７番と８番の端子に接続されるツイストペア線に、前記コネクタの３番と６番の端子に接続されるツイストペア線に設けられた前記個別シールド層の外径と同じ外径となるように、外径調整用シース層をそれぞれ設けた請求項１〜５いずれかに記載のシールド付きツイストペアケーブル。
【請求項７】
前記コネクタが、ＲＪ４５コネクタである請求項１〜６いずれかに記載のシールド付きツイストペアケーブル。
【請求項８】
４つのツイストペア線を束ね、その外周にシールド層とシースを設けて構成されるツイストペアケーブルにおいて、
前記４つのツイストペア線のうち一つのツイストペア線のみに、その外周に個別シールド層を設けたことを特徴とするシールド付きツイストペアケーブル。
【発明の詳細な説明】
【技術分野】
【０００１】
本発明は、例えばＲＪ４５コネクタに接続されるシールド付きツイストペアケーブルに関するものである。
【背景技術】
【０００２】
近年、オフィス等においてＬＡＮ（Local Area Network）の導入が盛んに行われている。オフィス等におけるＬＡＮを構成する情報配線システムでは、ＬＡＮケーブルとして４対のツイストペア線を有する４対非シールド対より線（以下、ＵＴＰケーブルという）が多く用いられており、コネクタとしてＲＪ４５コネクタ（８Ｐ８Ｃモジュラコネクタ）が一般的に用いられている。
【０００３】
ＲＪ４５コネクタのメス側となるモジュラジャックコネクタの一例を図５（ａ）に、そのモジュラジャックコネクタに用いられるモジュラジャックを図５（ｂ）に、ＲＪ４５コネクタのオス側となるモジュラプラグの一例を図６（ａ）に示す。
【０００４】
図５（ａ）に示すように、モジュラジャックコネクタ５１は、プリント基板５２に、モジュラジャック５３といわゆる１１０型と呼ばれる圧接端子アレイ５４を搭載したものである。
【０００５】
モジュラジャック５３は、図５（ｂ）に示すように、モジュラプラグ６１を挿入するための開口部５５を有する中空のハウジング５６と、このハウジング５６の内部に組み込まれている１番〜８番の８本の端子（導体ピン）Ｔ１〜Ｔ８とから構成されており、１番の端子Ｔ１と２番の端子Ｔ２、３番の端子Ｔ３と６番の端子Ｔ６、４番の端子Ｔ４と５番の端子Ｔ５、７番の端子Ｔ７と８番の端子Ｔ８がそれぞれ対となっている。
【０００６】
各端子Ｔ１〜Ｔ８は、ハウジング５６の内部から開口部５５に向かって凸状に屈曲された形状となっており、凸状の屈曲部５８と、モジュラプラグ６１の端子Ｐ１〜Ｐ８とそれぞれ接触する突出部５９と、ハウジング５６を貫通しハウジング５６の外部まで延出し、プリント基板５２と電気的に接続される脚部６０とを備える。プリント基板５２には配線パターンが形成されており、その配線パターンを介して、各端子Ｔ１〜Ｔ８と圧接端子アレイ５４とが電気的に接続される。
【０００７】
このモジュラジャック５３に挿入されるモジュラプラグ６１は、図６（ａ）に示すように、先端部に８個のスリット孔６２が形成されたハウジング６３と、スリット孔６２を介して挿入され、ＵＴＰケーブルのツイストペア線を構成する各心線と電気的に接続される１番〜８番の８本の端子（導体ピン）Ｐ１〜Ｐ８を備える。
【０００８】
モジュラプラグ６１をモジュラジャック５３に挿入すると、各端子Ｐ１〜Ｐ８がモジュラジャック５３の各端子Ｔ１〜Ｔ８の突出部５９と接触し、それぞれ電気的に接続される。
【０００９】
ＵＴＰケーブルをモジュラプラグ６１に接続する際の結線としては、Ｔ５６８ＡタイプとＴ５６８Ｂタイプと呼ばれる２通りの結線がある。一例として、Ｔ５６８Ａタイプの結線を図６（ｂ）に示す。図６（ｂ）において、青対（ペア１）、橙対（ペア２）、緑対（ペア３）、および茶対（ペア４）は、ＵＴＰケーブルの４対のツイストペア線に付された色であり、ＥＩＡ／ＴＩＡ−５６８にて規格されている。
【００１０】
図６（ｂ）に示すように、Ｔ５６８Ａタイプの結線では、１番の端子Ｐ１と２番の端子Ｐ２に緑対（ペア３）のツイストペア線が接続され、３番の端子Ｐ３と６番の端子Ｐ６に橙対（ペア２）のツイストペア線が接続され、４番の端子Ｐ４と５番の端子Ｐ５に青対（ペア１）のツイストペア線が接続され、７番の端子Ｐ７と８番の端子Ｐ８に茶対（ペア４）のツイストペア線がそれぞれ電気的に接続される。Ｔ５６８Ｂタイプの結線は、図６（ｂ）において、橙対（ペア２）と緑対（ペア３）のツイストペア線が入れ替わったものである。
【００１１】
このように、３番と６番の端子Ｐ３，Ｐ６に接続されるツイストペア線は、４番と５番の端子Ｐ４，Ｐ５に接続されるツイストペア線をまたいでいる特異な結線となっている。
【００１２】
モジュラジャック５３内では、電気信号がモジュラジャック５３の端子Ｔ１〜Ｔ８を伝送する際に各端子Ｔ１〜Ｔ８間でクロストークが発生してしまい、ツイストペア線間のクロストークの原因となっている。
【００１３】
具体的には、モジュラジャック５３の端子Ｔ１〜Ｔ８の配置より、２番／３番、３番／４番、５番／６番、６番／７番の各端子間の距離が近いため、これら端子間での容量性結合、誘導性結合が大きくなり、これら端子に接続されるツイストペア線はモジュラジャック５３内でクロストークの影響を受ける。特に、３番と６番の端子Ｔ３，Ｔ６に接続されるツイストペア線は、上記全ての組合せに該当することとなり、モジュラジャック５３内でクロストークの影響を受けやすい構成となっている。
【００１４】
近年、通信速度の高速化により、ＬＡＮケーブルおよびそのＬＡＮケーブルを接続するモジュラジャックへの電気特性の要求が厳しくなっており、ツイストペア線間のクロストーク、特性インピーダンスなどの要求水準が厳しくなっている。
【００１５】
ツイストペア線を使い１００ｍの距離で１０ギガｂｐｓ伝送をするためのＡＣａｔ６（Augmented Category6）では、モジュラジャックの場合、１００ＭＨｚにおける対間近端漏話減衰量（ＮＥＸＴ（loss）；Near end crosstalk（loss））として５４ｄＢ以上、２５０ＭＨｚにおける対間近端漏話減衰量として４６ｄＢ以上、５００ＭＨｚにおける対間近端漏話減衰量として３４ｄＢ以上の絶対値が要求されている。ケーブルの場合、１００ＭＨｚにおける対間近端漏話減衰量として４４．３ｄＢ以上、２５０ＭＨｚにおける対間近端漏話減衰量として３８．３ｄＢ以上、５００ＭＨｚにおける対間近端漏話減衰量として３３．８ｄＢ以上の絶対値が要求されている。
【００１６】
上記のモジュラジャックを４個と最長１００ｍのケーブルを組み合わせて配線システムを構築し、その組み合わせられた配線システムに対しても、対間近端漏話減衰量が要求される。すなわち、１００ＭＨｚにおける対間近端漏話減衰量として３９．９ｄＢ以上、２５０ＭＨｚにおける対間近端漏話減衰量として３３．１ｄＢ以上、５００ＭＨｚにおける対間近端漏話減衰量として２６．１ｄＢ以上の絶対値が要求されている。
【００１７】
さらに、１０ギガｂｐｓ伝送をツイストペア線にて行う場合、多条に敷設される４対のツイストペアケーブル同士が隣接することで引き起こされるケーブル間の漏話減衰量であるエイリアンクロストークも電気特性として要求されるようになってきた。
【００１８】
そこで、このような厳しい電気特性を満足し、クロストークの影響を低減するため、従来、全てのツイストペア線の外周に個別シールド層を設けたシールド付きツイストペアケーブルが提案されている（例えば、特許文献１，２参照）。
【００１９】
全てのツイストペア線の外周に個別シールド層を設けることで、ツイストペア線に個別シールド層を形成していないＵＴＰケーブルと比較して、ケーブル内でのツイストペア線間のクロストークを大幅に抑制することが可能となる。そのため、モジュラジャックにおけるクロストークの影響を考慮しても、配線システム全体としてクロストークの影響（近端漏話減衰量とエイリアンクロストーク）を低減することが可能となる。
【先行技術文献】
【特許文献】
【００２０】
【特許文献１】特開２００３−１２３５５４号公報
【特許文献２】特開２０００−１５６１２４号公報
【発明の概要】
【発明が解決しようとする課題】
【００２１】
しかしながら、従来のシールド付きツイストペアケーブルでは、全てのツイストペア線の外周に個別シールド層を形成するために、個別シールド層を形成しないケーブルよりもコストが２倍以上高くなってしまい、さらに、施工時（例えば、ケーブルの端部へのモジュラプラグの取り付け時）に全ての個別シールド層を取り除く必要があるため、施工に手間がかかる（すなわち敷設コストが高くなる）という問題があった。
【００２２】
また、ツイストペア線の外周に個別シールド層を形成すると、ツイストペア線と個別シールド層が接してツイストペア線周囲の実効誘電率が上がり、特性インピーダンスが規定値（例えば、１００Ω±１５Ω）を超えてしまう。そのため、ツイストペア線を構成する各心線の絶縁層を厚くして、特性インピーダンスを規定値に調整する必要が生じる。しかし、ＲＪ４５のモジュラプラグでは８個の各端子が１．０１６ｍｍ間隔で並んでいる関係上、受容できる各心線の絶縁層の外径に制限（１．０２ｍｍ）がある。したがって、絶縁層を厚くして特性インピーダンスを規定値に保ったケーブルの端部にＲＪ４５のモジュラプラグを取り付けることができないという問題があった。
【００２３】
そこで、本発明の目的は、上記課題を解決し、低コストに効果的にクロストークを低減でき、特にケーブルとコネクタからなる配線システム全体のクロストークを低コストに効果的に低減でき、その端部に例えばＲＪ４５のモジュラプラグを取り付けることができる、シールド付きツイストペアケーブルを提供することにある。
【課題を解決するための手段】
【００２４】
本発明は上記目的を達成するために創案されたものであり、４つのツイストペア線を束ね、その外周にシールド層とシースを設けて構成されると共に、１番〜８番の端子を有し、かつ、１番と２番、３番と６番、４番と５番、７番と８番の端子が対となるコネクタに接続されるツイストペアケーブルにおいて、前記コネクタの３番と６番の端子に接続されるツイストペア線のみに、その外周に個別シールド層を設けたシールド付きツイストペアケーブルである。
【００２５】
前記各ツイストペア線の間に、各ツイストペア線間を遮蔽するための十字介在物を配置してもよい。
【００２６】
前記各ツイストペア線を束ねた中心部に抗張力体を配置してもよい。
【００２７】
前記コネクタの３番と６番の端子に接続されるツイストペア線を構成する心線が発泡コアからなってもよい。
【００２８】
前記個別シールド層の内周に個別シース層を設け、該個別シース層の厚さを調整することにより、前記コネクタの３番と６番の端子に接続されるツイストペア線の特性インピーダンスを調整してもよい。
【００２９】
前記コネクタの１番と２番、４番と５番、７番と８番の端子に接続されるツイストペア線に、前記コネクタの３番と６番の端子に接続されるツイストペア線に設けられた前記個別シールド層の外径と同じ外径となるように、外径調整用シース層をそれぞれ設けてもよい。
【００３０】
前記コネクタが、ＲＪ４５コネクタであってもよい。
【００３１】
また、本発明は上記目的を達成するために創案されたものであり、４つのツイストペア線を束ね、その外周にシールド層とシースを設けて構成されるツイストペアケーブルにおいて、前記４つのツイストペア線のうち一つのツイストペア線のみに、その外周に個別シールド層を設けたシールド付きツイストペアケーブルである。
【発明の効果】
【００３２】
本発明によれば、低コストに効果的にクロストークを低減でき、特にケーブルとコネクタからなる配線システム全体のクロストークを低コストに効果的に低減でき、その端部に例えばＲＪ４５のモジュラプラグを取り付けることができる、シールド付きツイストペアケーブルを提供できる。
【図面の簡単な説明】
【００３３】
【図１】本発明の一実施形態に係るシールド付きツイストペアケーブルの横断面図である。
【図２】本発明の一実施形態に係るシールド付きツイストペアケーブルの横断面図である。
【図３】本発明の一実施形態に係るシールド付きツイストペアケーブルの横断面図である。
【図４】本発明の一実施形態に係るシールド付きツイストペアケーブルの横断面図である。
【図５】図５（ａ）はモジュラジャックコネクタの斜視図であり、図５（ｂ）はそのモジュラジャックコネクタに用いるモジュラジャックの縦断面図である。
【図６】図６（ａ）はモジュラプラグの正面図であり、図６（ｂ）はＴ５６８Ａタイプの結線を説明する図である。
【図７】図７（ａ）は本発明に係るシールド付きツイストペアケーブルに好適に使用できるモジュラプラグの一実施形態の正面図であり、図７（ｂ）はモジュラプラグの他の実施形態の正面図である。
【発明を実施するための形態】
【００３４】
以下、本発明の好適な実施の形態を添付図面にしたがって説明する。
【００３５】
図１は、本実施形態に係るシールド付きツイストペアケーブルの横断面図である。
【００３６】
図１に示すように、シールド付きツイストペアケーブル１は、４つのツイストペア線２ａ，２ｂ，２ｃ，２ｄを束ね、その外周におさえ巻きテープを横巻きしておさえ巻き層３を形成し、そのおさえ巻き層３の外周に、シールド層４とシース５を順次設けて構成される。
【００３７】
シールド付きツイストペアケーブル１は、１番〜８番の端子を有し、かつ、１番と２番、３番と６番、４番と５番、７番と８番の端子が対となるコネクタ、具体的には、ＲＪ４５コネクタ（８Ｐ８Ｃモジュラコネクタ）に接続されるものである。
【００３８】
本実施形態では、一例として、ツイストペア線２ａがＥＩＡ／ＴＩＡ−５６８における青対（ペア１）、ツイストペア線２ｂが緑対（ペア３）、ツイストペア線２ｃが茶対（ペア４）、ツイストペア２ｄが橙対（ペア２）であり、Ｔ５６８Ａタイプの結線によりＲＪ４５コネクタに接続する場合を説明する。
【００３９】
すなわち、青対（ペア１）のツイストペア線２ａはＲＪ４５コネクタの４番と５番の端子に接続され、緑対（ペア３）のツイストペア線２ｂは１番と２番の端子、茶対（ペア４）のツイストペア線２ｃは７番と８番の端子、橙対（ペア２）のツイストペア線２ｄは３番と６番の端子に接続されるものとする。
【００４０】
ツイストペア線２ａとツイストペア線２ｄ、ツイストペア線２ｂとツイストペア線２ｃは、対角に位置するように配置され、各ツイストペア線２ａ，２ｂ，２ｃ，２ｄ間には、各ツイストペア線２ａ，２ｂ，２ｃ，２ｄ間を遮蔽するための十字介在物６が配置される。
【００４１】
十字介在物６としては、例えば、ＰＥ（ポリエチレン）などの可とう性を有するプラスチックの表面に、軟磁性粉末を有機溶剤中に分散させた電磁遮蔽体を塗布したものを用いるとよい。軟磁性粉末としては、高周波透磁率の大きなものを用いるとよく、例えば、鉄アルミ珪素合金や鉄ニッケル合金などを用いるとよい。
【００４２】
ツイストペア線２ａ，２ｂ，２ｃ，２ｄを構成する心線７は、軟銅などの金属導体からなる単線または撚線の中心導体８の外周に、絶縁層９を設けてなる。
【００４３】
絶縁層９は誘電率が低いものであることが望ましく、本実施形態では、心線７として、絶縁層９を発泡性樹脂で形成した発泡コアを用いた。絶縁層９に用いる発泡性樹脂としては、例えば、発泡ＰＥが挙げられる。本実施形態では、全てのツイストペア線２ａ，２ｂ，２ｃ，２ｄの心線７を発泡コアで形成したが、少なくともツイストペア線２ｄの心線７が発泡コアで形成されればよく、他のツイストペア線２ａ，２ｂ，２ｃの絶縁層９は非発泡の樹脂（例えば、ＰＥ）で形成されてもよい。
【００４４】
シールド層４は、例えば、アルミニウムとポリエステルを張り合わせたラミネートテープ（アルミテープ）をラップ巻きして形成される。また、シース５は、シールド層４の外周に、例えば、鉛フリーＰＶＣ（ポリ塩化ビニル）などの樹脂を押出し成形すことにより形成される。
【００４５】
本実施形態に係るシールド付きツイストペアケーブル１では、ＲＪ４５コネクタの３番と６番の端子に接続されるツイストペア線２ｄのみに、その外周に個別シールド層１０が設けられる。個別シールド層１０は、例えば、アルミテープをラップ巻きして形成される。
【００４６】
本実施形態の作用を説明する。
【００４７】
本実施形態に係るシールド付きツイストペアケーブル１では、ＲＪ４５コネクタの３番と６番の端子に接続されるツイストペア線２ｄのみに、その外周に個別シールド層１０を設けている。
【００４８】
図５（ａ），（ｂ）および図６（ａ），（ｂ）で説明したように、ＲＪ４５コネクタのモジュラジャック５３内では、その端子Ｔ１〜Ｔ８の配置から、２番／３番、３番／４番、５番／６番、６番／７番の各端子間の距離が近いため、その容量性結合、誘導性結合が大きく、ツイストペア線２ａ，２ｂ，２ｃ，２ｄ間のクロストークの原因となってしまい、特に、３番と６番の端子Ｔ３，Ｔ６に接続されるツイストペア線２ｄがモジュラジャック５３内でクロストークの影響を受けやすい構成となっている。
【００４９】
ケーブルとコネクタ（ＲＪ４５コネクタ）全体としてクロストークの影響を考えると、クロストーク（近端漏話減衰量）の影響を低減するためには、近端漏話減衰量に対するマージンを十分に有するケーブル、コネクタを用いることが望ましい。しかし、近端漏話減衰量に対するマージンを十分に有するコネクタの作製は非常に困難であることから、上記マージンを十分に有するケーブルを用いることが望ましいといえる。
【００５０】
近端漏話減衰量に対するマージンを十分に有するケーブルを得るためには、各ツイストペア線のシールド性を向上させる必要があるが、上記マージンを高くするために全てのツイストペア線に個別シールドを設けたのでは、コストが高くなり、施工に手間がかかることとなってしまう。
【００５１】
そこで、本実施形態では、コネクタ（ＲＪ４５コネクタ）において最もクロストークの影響を受けやすい３番と６番の端子に接続されるツイストペア線２ｄのシールド効果を大きくして、３番と６番の端子に接続されるツイストペア線２ｄの近端漏話減衰量に対するマージンを高くするようにした。これにより、ケーブルとコネクタ全体としてクロストークを効果的に低減することが可能となり、クロストーク低減の性能を効果的に向上させることができる。具体的には、ＡＮＳＩ／ＴＩＡ／ＥＩＡ−５６８−Ｂ．２−１０で規格されるＡＣａｔ６（Augmented Category6；伝送周波数５００ＭＨｚ）を十分に上回る性能を有するシールド付きツイストペアケーブル１を実現できる。
【００５２】
さらに、個別シールド層１０を設けるのが３番と６番のツイストペア線２ｄのみであるから、全てのツイストペア線に個別シールド層を設けた場合と比較して、製造コストを抑制することが可能となり、低コストなシールド付きツイストペアケーブル１を実現できる。また、施工時に１つの個別シールド層１０を取り除くだけでよいので、施工に手間がかからない。
【００５３】
また、ツイストペア線の外周に個別シールド層を形成すると、ツイストペア線と個別シールド層が接して実効誘電率が上がり、特性インピーダンスが高くなるが、本実施形態では、絶縁層９に発泡性樹脂を用いているため、絶縁層９の誘電率を低くすることができ、絶縁層９の外径を大きくすることなく、特性インピーダンスを規定値（例えば、１００Ω）に調整することが可能となる。
【００５４】
ＲＪ４５コネクタでは、モジュラプラグにて各心線を整列部材の貫通孔に挿入して整列させるために、絶縁層９の外径に制限がある。従来のように全てのツイストペア線に個別シールド層を設けた場合、特性インピーダンスを調整するために全ての心線の絶縁層の外径が大きくなってしまい、シールド付きツイストペアケーブルをモジュラプラグにアセンブルすることが非常に困難となってしまう。そのため、既存のモジュラプラグを用いることができず、専用のモジュラプラグを用いる必要が生じ、コストがかかるという課題があった。
【００５５】
本実施形態では、１つのツイストペア線２ｄのみに個別シールド層１０を形成しており、さらには、絶縁層９として発泡性樹脂を用いているので、たとえツイストペア線２ｄの絶縁層９の外径がモジュラプラグの制限値より大きくなった場合でも、部分的に手で絞るなどして整列部材の貫通孔に挿入し、既存のモジュラプラグにアセンブルすることが可能である。
【００５６】
すなわち、シールド付きツイストペアケーブル１によれば、特性インピーダンスの調整のために絶縁層９の外径が大きくなった場合であっても、容易にシールド付きツイストペアケーブル１をモジュラプラグにアセンブルすることができる。
【００５７】
上記実施形態では、Ｔ５６８Ａタイプの結線によりＲＪ４５コネクタに接続する場合を説明したが、Ｔ５６８Ｂタイプの結線を用いる場合も同様に、３番と６番の端子に接続されるツイストペア線、すなわち緑対（ペア３）のツイストペア線２ｂのみに、その外周に個別シールド層１０を形成するようにすればよい。この場合、青対（ペア１）のツイストペア線２ａの対角位置に緑対（ペア３）のツイストペア線２ｂを配置することが望ましい。
【００５８】
また、一方をＴ５６８Ａタイプの結線とし、他方をＴ５６８Ｂタイプの結線とする場合（いわゆるクロスケーブルとして用いる場合）は、Ｔ５６８Ａタイプの結線で橙対（ペア２）のツイストペア線２ｄが、Ｔ５６８Ｂタイプの結線で緑対（ペア３）のツイストペア線２ｃが３番と６番の端子に接続されることとなる。よってこの場合、これら両方のツイストペア線２ｃ，２ｄの外周にそれぞれ個別シールド層１０を形成することが望ましい。
【００５９】
また、ＲＪ４５コネクタの１番と２番、４番と５番、７番と８番の端子に接続されるツイストペア線２ａ，２ｂ，２ｃに、ＲＪ４５コネクタの３番と６番の端子に接続されるツイストペア線２ｄに設けられた個別シールド層１０の外径と同じ外径となるように、外径調整用シース層（図示せず）をそれぞれ設けるようにしてもよい。これにより、全てのツイストペア線２ａ，２ｂ，２ｃ，２ｄの外径が統一されるため、外観の良好なシールド付きツイストペアケーブルを実現できる。
【００６０】
以下、本発明の他の実施の形態について説明する。
【００６１】
図２に示すシールド付きツイストペアケーブル２１は、図１のシールド付きツイストペアケーブル１において、心線７に発泡コア用いて絶縁層９の誘電率を低くする代わりに、ＲＪ４５コネクタの３番と６番の端子に接続されるツイストペア線２ｄの個別シールド層１０の内周に、実効誘電率を調整するための個別シース層２２を形成したものである。
【００６２】
個別シース層２２は、例えば、ＰＥからなる。この個別シース層２２の厚さを調整することで、ツイストペア線２ｄの特性インピーダンスを規定値（例えば、１００Ω）に調整するとよい。心線７の絶縁層９としては、例えば、非発泡のＰＥからなるものを用いるとよい。
【００６３】
絶縁層９を発泡性樹脂で形成する場合、ガスを注入して発泡させる必要があるため生産速度が低くなり、生産性が悪いという課題があるが、シールド付きツイストペアケーブル２１では、個別シールド層１０の内周に個別シース層２２を設けることで、絶縁層９を発泡性樹脂で形成する必要がなくなり、生産性を向上させることができる。
【００６４】
また、個別シース層２２の厚さを調整することで実効誘電率（特性インピーダンス）を調整可能となるため、絶縁層９の外径を小さくすることが可能となり、モジュラプラグへのアセンブリがより容易となる。
【００６５】
図３に示すシールド付きツイストペアケーブル３１は、図１のシールド付きツイストペアケーブル１において、十字介在物６を省略し、各ツイストペア線２ａ，２ｂ，２ｃ，２ｄを束ねた中心部に抗張力体３２を配置したものである。
【００６６】
抗張力体３２は、シールド付きツイストペアケーブル３１の終端に設けられるＲＪ４５コネクタのモジュラプラグに固定される。
【００６７】
抗張力体３２を設けることにより、シールド付きツイストペアケーブル３１に外部から引張りなどの力が加わったときでも、各ツイストペア線２ａ，２ｂ，２ｃ，２ｄの断線を防ぎ、各ツイストペア線２ａ，２ｂ，２ｃ，２ｄとモジュラプラグの接続部分を保護することが可能となる。
【００６８】
図４に示すシールド付きツイストペアケーブル４１は、図３のシールド付きツイストペアケーブル３１において、ＲＪ４５コネクタの３番と６番の端子に接続されるツイストペア線２ｄの個別シールド層１０の内周に、実効誘電率を調整するための個別シース層４２を形成したものである。
【００６９】
シールド付きツイストペアケーブル４１によれば、図２のシールド付きツイストペアケーブル２１と同様に、絶縁層９を発泡性樹脂で形成する必要がなくなるため、生産性を向上させることができる。また、抗張力体３２を設けているため、各ツイストペア線２ａ，２ｂ，２ｃ，２ｄの断線を防ぎ、各ツイストペア線２ａ，２ｂ，２ｃ，２ｄとモジュラプラグの接続部分を保護することが可能となる。
【００７０】
図７（ａ），（ｂ）に、本発明のシールド付きツイストペアケーブルに好適に使用できるモジュラプラグの正面図を示す。
【００７１】
図７（ａ）のモジュラプラグ７１は、ハウジング７２と、ハウジング７２内の８個の端子（導体ピン）Ｐ１〜Ｐ８と、ハウジング７２内に形成された８個の心線挿入用孔Ｓ１〜Ｓ８を備える。シールド付きツイストペアケーブルの端部にモジュラプラグ７１を取り付ける際、ツイストペア線の各心線を心線挿入穴Ｓ１〜Ｓ８に挿入し、圧着固定して、取り付ける。このモジュラプラグ７１では、心線挿入用孔Ｓ１〜Ｓ８が、１番、２番、７番と８番の横列と、３番〜６番の横列の２列に配置されている。
【００７２】
モジュラプラグ７１によれば、心線挿入用孔Ｓ１〜Ｓ８が、１番、２番、７番と８番の横列と、３番〜６番の横列の２列に配置されていることにより、１番〜８番の心線挿入用孔Ｓ１〜Ｓ８が１列に配置される構成と比較して、３番および６番の心線と他の心線との間に空間を大きくとることができる。これにより、３番と６番のツイストペア線の各心線の絶縁層の外径を、実効誘電率を下げるために、他の心線よりも大きくした場合でも、シールド付きツイストペアケーブルの８本の心線をモジュラプラグ７１内の心線挿入用孔Ｓ１〜Ｓ８に挿入して取り付けることが容易となる。よって、モジュラプラグ７１は本発明のシールド付きツイストペアケーブルの端部に容易に取り付けることができる。
【００７３】
図７（ｂ）に示すモジュラプラグ７５は、心線挿入用孔Ｓ１〜Ｓ８が、１番、２番、４番、５番、７番と８番の横列と、３番、６番の横列の２列に配置されている。図７（ｂ）のモジュラプラグ７５においても、図７（ａ）のモジュラプラグ７１と同様に、本発明のシールド付きツイストペアケーブルの端部に容易に取り付けることができる。
【００７４】
本発明は、上記実施形態には限定されず、当業者にとって想到し得る本明細書に説明された基本的教示の範囲に含まれる全ての変更、および代替的構成を具体化するものとして解釈されるべきである。
【符号の説明】
【００７５】
１  シールド付きツイストペアケーブル
２ａ，２ｂ，２ｃ，２ｄ  ツイストペア線
４  シールド層
５  シース
１０  個別シールド層
【図１】
2010232092.tif 000003
【図２】
2010232092.tif 000004
【図３】
2010232092.tif 000005
【図４】
2010232092.tif 000006
【図５】
2010232092.tif 000007
【図６】
2010232092.tif 000008
【図７】
2010232092.tif 000009